(57)【要約】【課題】本発明は、外部引出しリード線の端部に溶接によって球状のかたまりを形成し、このかたまりを端子に溶接することにより、リード線の接続を容易かつ確実化することを目的とする。【解決手段】本発明によるレゾルバのリード線固定構造は、端子盤(5)の各端子(6)に外部引出しリード線(10)を接続する場合、外部引出しリード線(10)の端部(10a)に溶接によって球状のかたまり(10A)を形成し、このかたまり(10A)を端子(6)に溶接で接続した構成である。【選択図】図１
2006107869.tif 000002
【特許請求の範囲】
【請求項１】
輪状ステータ(1)の各磁極(2)に対し、前記輪状ステータ(1)に設けられた輪状絶縁部材(3)を介してステータ巻線(4)を巻付け、前記ステータ巻線(4)の端線(4a)を前記輪状絶縁部材(3)に一体に形成された端子盤(5)の各端子(6)に接続し、前記各端子(6)に外部引出しリード線(10)を接続した構成からなるレゾルバのリード線固定構造において、
前記外部引出しリード線(10)の端部(10a)は、前記端子(6)に接続される前に溶融して球状のかたまり(10A)とし、このかたまり(10A)を前記端子(6)に溶接して接続したことを特徴とするレゾルバのリード線固定構造。
【請求項２】
前記かたまり(10A)は、ＴＩＧ溶接又はアーク溶接で形成されていることを特徴とする請求項１記載のレゾルバのリード線固定構造。
【請求項３】
前記端子(6)は、Ｌ字型又は平板状をなし、前記ステータ巻線(4)を接続するステータ巻線接続部(6a)と、前記かたまり(10A)を抵抗溶接により接続するかたまり接続部(6b)とからなることを特徴とする請求項１又は２記載のレゾルバのリード線固定構造。
【請求項４】
前記抵抗溶接による接続により、前記かたまり(10A)は平板状に変形されていることを特徴とする請求項１ないし３の何れかに記載のレゾルバのリード線固定構造。
【発明の詳細な説明】
【技術分野】
【０００１】
本発明は、レゾルバのリード線固定構造に関し、特に、外部引出しリード線の端部を溶接によってかたまりとし、このかたまりを端子に溶接することにより、接続の容易化、接続の信頼性向上、リード線引張り強度の確保及び向上等を達成するための新規な改良に関する。
【背景技術】
【０００２】
従来、用いられていたこの種のレゾルバのリード線固定構造としては、特許文献等は特に示していないが、図４及び図５で示される構成を挙げることができる。
すなわち、図４において符号１で示されるものは、鉄心からなる輪状ステータであり、この輪状ステータ１には内方へ向けて突出する複数の磁極２が形成されており、ステータ巻線４の輪状絶縁部材３とステータ１と接続用の端子６とが一体で形成されている。
【０００３】
前記各磁極２には、前記輪状ステータ１の両面に一体インサート成形（又は、別部品として設ける場合もある）により形成された輪状絶縁部材３を介してステータ巻線４が分布巻き等によって巻回されており、このステータ巻線４の端線４ａは、前記輪状絶縁部材３と一体に突出して形成された端子盤５の端子６のステータ巻線接続部６ａにからげ等によって接続されている。
【０００４】
前記端子６は、前記端子盤５にインサート成形又は組込みにより設けられており、全体形状がＬ字型又は平板状をなすように構成され、前記ステータ巻線接続部６ａと端部接続部６ｂとは互いに９０度（又は１８０°方向もある）異なる方向に向いて一体に形成されている。
【０００５】
前記各端子６の端部接続部６ｂには、外部引出しリード線１０の端部１０ａが接続されており、この端部１０ａは外部引出しリード線１０の被覆を除去しただけの複数の芯線が露出した状態で抵抗溶接による抵抗溶接部１１として前記端部接続部６ｂに接続されている。尚、この溶接には、図６で示されるように、半円形状の電極面２０ａを有する溶接電極２０を用い、この電極面２０ａを外部引出しリード線１０の端部１０ａに接合させて溶接を行っている。
【発明の開示】
【発明が解決しようとする課題】
【０００６】
従来のレゾルバのリード線固定構造は、以上のように構成されていたため、次のような課題が存在していた。
すなわち、外部引出しリード線の端部を端子の端部接続部に接続する場合は、この端部は被覆を除去しただけで各芯線が露出した状態で抵抗溶接するため、この端部の各芯線がバラケて、バラケ部１０ａＡが発生することがあり、芯線が溶接治具からはずれ、溶接条件がバラツキを発生することがあった。
また、この場合に、溶接電極が芯線を強く押して複数の芯線を切断してしまうこともあった。
また、芯線のバラケにより隣の端子同志が導通してしまうこともある。
また、このような溶接には、熟練を必要とし、生産性の低下、歩留まりの低下、品質のバラツキ及びコストアップとなっていた。
また、組立て後の経年変化やリード線を動かしている際に芯線が切断してしまう現象が見られた。
【課題を解決するための手段】
【０００７】
本発明によるレゾルバのリード線固定構造は、輪状ステータの各磁極に対し、前記輪状ステータに設けられた輪状絶縁部材を介してステータ巻線を巻付け、前記ステータ巻線の端線を前記輪状絶縁部材に一体に形成された端子盤の各端子に接続し、前記各端子に外部引出しリード線を接続した構成からなるレゾルバのリード線固定構造において、前記外部引出しリード線の端部は、前記端子に接続される前に溶融して球状のかたまりとし、このかたまりを前記端子に溶接して接続した構成であり、また、前記かたまりは、ＴＩＧ溶接（又はアーク溶接）で形成されている構成であり、また、前記端子は、Ｌ字型（又は平板状）をなし、前記ステータ巻線を接続するステータ巻線接続部と、前記かたまりを抵抗溶接により接続するかたまり接続部とからなる構成であり、また、前記抵抗溶接による接続により、前記かたまりは平板状に変形されている構成である。
【発明の効果】
【０００８】
本発明によるレゾルバのリード線固定構造は、以上のように構成されているため、次のような効果を得ることができる。
すなわち、外部引出しリード線の端部の各芯線を溶接によっていったん球状のかたまりに形成し、このかたまりを端子のかたまり接続部に接続しているため、溶接治具による溶接の歩留まりがほぼ１００％となり、品質向上、コストダウンを達成できる。
また、リード線の各芯線が個々には露出せず、かたまり状となるため、バラケがなく、溶接の安定性が確保できる。
また、リード線の引張り強度が高く安定できる。
また、従来のような、芯線のバラケによる隣の端子への接触防止が確保できる。
また、外部引出しリード線の端部の形状がほぼ一定の球状であるため、溶接治具の電極の形状を簡素化することができ、メンテナンスも容易となる。
また、前述の作用効果により、溶接の信頼性が向上し、自動溶接が容易となった。
【発明を実施するための最良の形態】
【０００９】
本発明は、外部引出しリード線の端部を溶接によってかたまりとし、このかたまりを端子に溶接することにより、接続の容易化、信頼性向上、引張り強度の向上等を達成できる
レゾルバのリード線固定構造を提供することを目的とする。
【実施例】
【００１０】
以下、図面と共に本発明によるレゾルバのリード線固定構造の好適な実施の形態について説明する。
尚、従来例と同一又は同等部分には同一符号を付して説明する。
図１において、符号１で示されるものは鉄心からなる輪状ステータであり、この輪状ステータ１には内方へ向けて突出する複数の磁極２が一体に形成されている。
【００１１】
前記各磁極２には、前記輪状ステータ１の両面に一体インサート成形（又は、別部品として設ける場合もある）により形成された輪状絶縁部材３を介してステータ巻線４が分布巻き等によって巻回されており、このステータ巻線４の端線４ａは、前記輪状絶縁部材３と一体に突出して形成された端子盤５の端子６のステータ巻線接続部６ａにからげ等によって接続されている。
【００１２】
前記端子６は、前記端子盤５にインサート成形又は組込みにより設けられており、全体形状がＬ字型（又は平板状）をなすように構成され、前記ステータ巻線接続部６ａとかたまり接続部６ｂとは互いに９０度又は１８０度異なる方向に向いて一体に形成されている。
【００１３】
前記各端子６のかたまり接続部６ｂには、外部引出しリード線１０の端部１０ａのかたまり１０Ａが接続されており、このかたまり１０Ａは、図２に示されるように、従来例で説明した被覆を除去した端部１０ａを周知のＴＩＧ（タングステン・イナート・ガス）溶接又はアーク溶接によって形成された球状に構成されている。尚、この溶接を行うための溶接電極２０の電極面２０ａは、図３のように平坦に形成されているため、前記端部１０ａを加熱溶融することにより球状となる。
【００１４】
前記かたまり１０Ａは、図示しない周知の抵抗溶接器によって抵抗溶接により前記かたまり接続部６ｂに溶接されている。
この場合、抵抗溶接器の溶接部が図３のように、平板状であるため、前記かたまり１０Ａは平板状に変形されて前記かたまり接続部６ｂに接続される。
【００１５】
従って、前記外部引出しリード線１０の端部１０ａに、溶接によるかたまり１０Ａを形成した後に、このかたまり１０Ａを端子６のかたまり接続部６ｂに溶接しているため、芯線のバラケ等を発生することがなく、常に安定した外部引出しリード線１０の溶接を行うことができる。
【産業上の利用可能性】
【００１６】
本発明は、レゾルバに限らず、シンクロ、モータ等にも適用可能である。
【図面の簡単な説明】
【００１７】
【図１】本発明によるレゾルバのリード線固定構造を示す半断面図である。
【図２】図１の接続要部の前の状態を示す平面図である。
【図３】図２で用いる溶接電極の構成図である。
【図４】従来のレゾルバのリード線固定構造を示す平面図である。
【図５】図３の要部の接続前の状態を示す平面図である。
【図６】図５で用いる溶接電極の構成図である。
【符号の説明】
【００１８】
１    輪状ステータ
２    磁極
３    輪状絶縁部材
４    ステータ巻線
４ａ    端線
５    端子盤
６    端子
６ａ    ステータ巻線接続部
６ｂ    かたまり接続部
１０    外部引出しリード線
１０ａ    端部
１０Ａ    かたまり
【図１】
2006107869.tif 000003
【図２】
2006107869.tif 000004
【図３】
2006107869.tif 000005
【図４】
2006107869.tif 000006
【図５】
2006107869.tif 000007
【図６】
2006107869.tif 000008